(57)【要約】【課題】  装置の利用者や装置に振動が発生する状況下においても視認性の良好な画像表示装置、電子機器、画像表示方法を提供する。【解決手段】  振動により電子ブック１が瞬間的に矢印Ａの方向にΔｙだけ移動すると、画像表示部７（ＬＣＤモジュール１５）をΔｙだけ下方に変更し、或る画像を使用者が見ている場合に、使用者の視線が、電子ブック１に振動がほとんど無い状態のときの視線と略一定するようにする。このような動作をＸ軸方向及びＹ軸方向でそれぞれ行うことにより、画像表示部７（ＬＣＤモジュール１５）のＸ軸方向（矢印Ｄ方向）の振動による前記利用者の視線に対するＸ軸方向の表示画像の相対位置を一定とするとともに、画像表示部７（ＬＣＤモジュール１５）のＹ軸方向（矢印Ｃ方向）の振動による前記利用者の視線に対するＹ軸方向の表示画像の相対位置を一定とする。【選択図】      図３
2006145616.tif 000002
【特許請求の範囲】
【請求項１】
画像を表示する表示部と、
当該画像表示装置に対して与えられた振動を検出する第１の検出手段と、
前記第１の検出手段により検出された振動を構成する当該画像表示装置の動きの方向と反対方向に、前記表示部に表示する画像の表示位置を移動させる表示制御手段とを備えることを特徴とする画像表示装置。
【請求項２】
当該画像表示装置の使用者における身体の所定部位の動きを検出するための第２の検出手段を備え、前記表示制御手段は、前記第１、第２の検出手段による検出結果を用いて、前記表示部に表示する画像の表示位置を移動させることを特徴とする請求項１に記載の画像表示装置。
【請求項３】
画像を表示する表示部と、
前記表示部をその表示面に略平行な方向に駆動する駆動手段と、
当該画像表示装置に対して与えられた振動を検出する第１の検出手段と、
前記駆動手段に、前記第１の検出手段により検出された振動を構成する当該画像表示装置の動きの方向と反対方向に、前記表示部の駆動を行わせる駆動制御手段とを備えることを特徴とする画像表示装置。
【請求項４】
前記駆動手段は、第１、第２の基体と、前記第２の基体を前記第１の基体に対して第１の方向に相対移動可能に支持する第１の支持部と、前記第２の基体を前記第１の基体に対して前記第１の方向に駆動する第１のアクチュエータと、前記表示部を、前記第２の基体に対して前記第１の方向と異なる第２の方向に相対移動可能に支持する第２の支持部と、前記表示部を前記第２の基体に対して前記第２の方向に駆動する第２のアクチュエータとを備えることを特徴とする請求項３に記載の画像表示装置。
【請求項５】
当該画像表示装置の使用者における身体の所定部位の動きを検出するための第２の検出手段を備え、前記駆動制御手段は、前記第１、第２の検出手段による検出結果を用いて、前記駆動手段に前記表示部の駆動を行わせることを特徴とする請求項３または４に記載の画像表示装置。
【請求項６】
前記第１の検出手段は、前記振動を構成する当該画像表示装置の動きのうち前記表示部の表示面に略平行な方向の動きの加速度を検出する加速度センサであることを特徴とする請求項１ないし５のいずれかに記載の画像表示装置。
【請求項７】
請求項１ないし６のいずれかに記載の画像表示装置を備えた電子機器。
【請求項８】
所定の表示部に画像を表示する場合において、
前記表示部に与えられた振動を検出し、
検出された振動を構成する前記表示部の動きと反対方向に、前記表示部に表示される画像の表示位置を移動させることを特徴とする画像表示方法。
【請求項９】
所定の表示部に画像を表示する場合において、
前記表示部に与えられた振動を検出し、
検出された振動を構成する前記表示部の動きと反対方向に、前記表示部を駆動することを特徴とする画像表示方法。
【発明の詳細な説明】
【技術分野】
【０００１】
本発明は、画像を表示する表示面を備えた画像表示装置、電子機器、画像表示方法に関する。
【背景技術】
【０００２】
近年、書籍の文字・画像・音等の情報（コンテンツ）が電子的に記録された記録媒体（例えばＣＤ−ＲＯＭやＭＤ等）が着脱可能とされ、その記録媒体が装着されたときに、該記録媒体に記録されているコンテンツを、ＬＣＤ（Liquid Crystal Display）等の表示部に表示する表示装置、所謂電子ブックが知られている。
【０００３】
一方、下記特許文献１には、撮影光学系及びファインダー光学系のそれぞれに、各光学系の光軸のブレを補正するための手ぶれ補正用レンズ系と、該手ぶれ補正用レンズ系を駆動する駆動系とを備え、手ぶれ検出センサにより検出された手ぶれ量に応じて、各手ぶれ補正用レンズ系を駆動して手ぶれ補正を行う技術が開示されている。
【０００４】
また、特許文献２，３には、車両の座席の一部位に設けた凹部内に、画面の傾斜角度が変更できるようにディスプレイを回転可能に構成し設置する場合において、車両の走行により座席に発生する振動を前記ディスプレイに伝達させないようにすることを目的として、その凹部に取り付けられたフレームとディスプレイの側面との間に、回転軸、スプリング、ワッシャ、ボス、ネジプレート等の複数の部材を用いて構成されたディスプレイ支持機構が提案されている。
【特許文献１】特開平９−３２９８２０号公報
【特許文献２】特開平５−４２８５３号公報
【特許文献３】実開平５−３３１８０号公報
【発明の開示】
【発明が解決しようとする課題】
【０００５】
前述のような電子ブックは、例えば列車や車両等の中で使用される場合がある。そのような状況下では、列車等の走行により電子ブックの利用者や電子ブックに振動（揺れ）が発生するため、該利用者は電子ブックに発生する振動等によって該電子ブックに表示されている内容を視認しにくい状態となることが多い。
【０００６】
そこで、このような状況下においても電子ブックの十分な視認性を確保することのできる技術が求められるが、その手段として、該電子ブックに前記各特許文献１〜３の技術を組み合わせることを考えた場合、次のような問題が生じる。
【０００７】
すなわち、前記特許文献１の技術にあっては、光学系や撮像素子を駆動することによりぶれを低減するものであり、一般に、電子ブックには、このような光学系等を搭載していないため、該技術を採用することはできない。
【０００８】
また、前記特許文献２，３の技術にあっては、多数の部材を用いてディスプレイ支持機構を構成しており、該機構は機械的に複雑なものとなっている。そのため、比較的大きなスペースを確保できる装置や場所には採用できるが、小型化が要求される電子ブックに採用することは困難である。
【０００９】
本発明は、上記事情に鑑みてなされたもので、装置の利用者や該装置に振動が発生する状況下においても視認性の良好な画像表示装置、電子機器、画像表示方法を提供することを目的とする。
【課題を解決するための手段】
【００１０】
請求項１に記載の発明は、画像を表示する表示部と、当該画像表示装置に対して与えられた振動を検出する第１の検出手段と、前記第１の検出手段により検出された振動を構成する当該画像表示装置の動きの方向と反対方向に、前記表示部に表示する画像の表示位置を移動させる表示制御手段とを備えることを特徴とする画像表示装置である。
【００１１】
また、請求項８に記載の発明は、所定の表示部に画像を表示する場合において、前記表示部に与えられた振動を検出し、検出された振動を構成する前記表示部の動きと反対方向に、前記表示部に表示される画像の表示位置を移動させることを特徴とする画像表示方法である。
【００１２】
これらの発明によれば、画像表示装置又は表示部に対して与えられた振動が検出されると、検出された振動を構成する当該画像表示装置の動きの方向と反対方向に、前記表示部の表示面に表示する画像の表示位置が移動される。したがって、画像表示装置の使用者が表示部に表示される或る画像を見ている場合において、画像表示装置又は表示部に対して振動が与えられても、その使用者が視線を移動する必要が無くなる又はその移動量が少なくなる。
【００１３】
請求項２に記載の発明は、請求項１に記載の画像表示装置において、当該画像表示装置の使用者における身体の所定部位の動きを検出するための第２の検出手段を備え、前記表示制御手段は、前記第１、第２の検出手段による検出結果を用いて、前記表示部に表示する画像の表示位置を移動させることを特徴とするものである。
【００１４】
この発明によれば、画像表示装置の使用者における身体の所定部位の動きが検出されると、検出される画像表示装置の振動と前記身体の所定部位の動きとに基づいて、前記表示部の表示面に表示する画像の表示位置が移動される。
【００１５】
例えば、使用者の身体が略静止しているときには、表示部に表示する画像の表示位置を、画像表示装置の振動の振幅と同じ量だけ該装置の動きの方向と反対方向に移動させるようにする形態や、使用者の身体も所定量揺れているときには、その揺れ量を考慮して、表示部に表示する画像の表示位置の移動量を設定する形態が考えられる。
【００１６】
これにより、使用者における身体の所定部位の動きに応じたより良好な表示部の視認性が得られる。なお、身体の一部位は、例えば頭部である。
【００１７】
請求項３に記載の発明は、画像を表示する表示部と、前記表示部をその表示面に略平行な方向に駆動する駆動手段と、当該画像表示装置に対して与えられた振動を検出する第１の検出手段と、前記駆動手段に、前記第１の検出手段により検出された振動を構成する当該画像表示装置の動きの方向と反対方向に、前記表示部の駆動を行わせる駆動制御手段とを備えることを特徴とする画像表示装置である。
【００１８】
また、請求項９に記載の発明は、所定の表示部に画像を表示する場合において、前記表示部に与えられた振動を検出し、検出された振動を構成する前記表示部の動きと反対方向に、前記表示部を駆動することを特徴とする画像表示方法である。
【００１９】
これらの発明によれば、画像表示装置又は表示部に対して与えられた振動が検出されると、検出された振動を構成する当該画像表示装置の動きの方向と反対方向への前記表示部の駆動が行われる。したがって、画像表示装置の使用者が表示部に表示される或る画像を見ている場合において、画像表示装置又は表示部に対して振動が与えられても、その使用者が視線を移動する必要が無くなる又はその移動量が少なくなる。
【００２０】
請求項４に記載の発明は、請求項３に記載の画像表示装置において、前記駆動手段は、第１、第２の基体と、前記第２の基体を前記第１の基体に対して第１の方向に相対移動可能に支持する第１の支持部と、前記第２の基体を前記第１の基体に対して前記第１の方向に駆動する第１のアクチュエータと、前記表示部を、前記第２の基体に対して前記第１の方向と異なる第２の方向に相対移動可能に支持する第２の支持部と、前記表示部を前記第２の基体に対して前記第２の方向に駆動する第２のアクチュエータとを備えることを特徴とするものである。
【００２１】
この発明によれば、第１のアクチュエータにより、第２の基体が第１の基体に対して第１の方向に駆動され、第２のアクチュエータにより、表示部が前記第２の基体に対して前記第１の方向と異なる第２の方向に駆動される。これにより、表示部をその表示面と略平行な面上で（表示面に沿って）駆動することができ、表示面と略平行な方向に発生した振動に対する画像の視認性の向上を図ることができる。
【００２２】
請求項５に記載の発明は、請求項３または４に記載の画像表示装置において、当該画像表示装置の使用者における身体の所定部位の動きを検出するための第２の検出手段を備え、前記駆動制御手段は、前記第１、第２の検出手段による検出結果を用いて、前記駆動手段に前記表示部の駆動を行わせることを特徴とするものである。
【００２３】
この発明によれば、画像表示装置の使用者における身体の所定部位の動きが検出されると、検出される画像表示装置の振動と身体の所定部位の動きとに基づいて、駆動部による前記表示部の駆動が行われる。
【００２４】
例えば、使用者の身体が略静止しているときには、表示部を、画像表示装置の振動の振幅と同じ量だけ該装置の動きの方向と反対方向に移動させるようにする形態や、使用者の身体も所定量揺れているときには、その揺れ量を考慮して、表示部の駆動量を設定する形態が考えられる。
【００２５】
これにより、使用者における身体の所定部位の動きに応じたより良好な表示部の視認性が得られる。なお、身体の一部位は、例えば頭部である。
【００２６】
請求項６に記載の発明は、請求項１ないし５のいずれかに記載の画像表示装置において、前記第１の検出手段は、前記振動を構成する当該画像表示装置の動きのうち前記表示部の表示面に略平行な方向の動きの加速度を検出する加速度センサであることを特徴とするものである。この発明によれば、画像表示装置の前記表示面に略平行な方向の動きの加速度が検出される。
【００２７】
請求項７に記載の発明は、請求項１ないし６のいずれかに記載の画像表示装置を備えた電子機器である。この発明によれば、電子機器において、請求項１ないし６のいずれかに記載の発明における作用が得られる。
【発明の効果】
【００２８】
本発明によれば、画像表示装置又は表示部に与えられた振動を構成する画像表示装置又は表示部の動きと反対方向に、表示部に表示される画像の表示位置を移動させたり、あるいは、その表示部を駆動したりするように構成したので、表示部に表示される或る画像を表示部の利用者が見ている場合において、画像表示装置又は表示部に対して振動が与えられても、その利用者は視線を移動する必要が無くなる又はその移動量が少なくなり、装置の利用者や該装置又は表示部に振動が発生する状況下においても良好な視認性を得ることができる。
【発明を実施するための最良の形態】
【００２９】
以下、本発明に係る画像表示装置を備えた電子機器の一例である電子ブックについて説明する。図１は、電子ブックの外観構成を示す図である。
【００３０】
図１に示すように、電子ブック１は、装置本体２に、電源スイッチ３と、操作キー４と、振動検出センサ部５と、音出力部６と、画像表示部７とを備える。画像表示部７は、装置本体２の正面略中央位置に配置されており、電源スイッチ３、操作キー４及び音出力部６は、画像表示部７の下方において左右に並んで配置されている。
【００３１】
装置本体２は、直方形状をなし、その一側面には、後述する記録媒体８を該本体２内にセットするためのスロット９が形成されている。スロット９は、この記録媒体８を装填するための装填口である。本実施形態では、スロット９に挿入される記録媒体８は、ＭＤ（Mini Disc）であるが、これに限らず、ＤＶＤ（Digital Versatile Disc）、ＣＤ−ＲＯＭ（Compact Disc-Read Only Memory）やＭＯ(Magnetic Optical Disk)等の記録媒体や、ＣＦ（Compact Flash）カード、ＳＤメモリカード等のフラッシュメモリカード媒体であってもよい。これらの記録媒体には、テキストデータ、画像データ及び音声データ等が記録される。
【００３２】
電源スイッチ３は、電子ブック１の主電源のオンオフを切換えるためのスイッチである。
【００３３】
操作キー４は、円周方向に一定間隔で配置された複数の押圧部（図中の三角印の部分）を備える環状の部材を有する４方向キー１０と、４方向キー１０の中央に配置された中央ボタン１１とを備えてなる。４方向キー１０の各押圧部や中央ボタン１１に対応して図略の接点が備えられており、この接点により前記押圧部等の押圧操作が検出されるようになっている。
【００３４】
４方向キー１０及び中央ボタン１１は、例えば、スロット９に装着された記録媒体８に記録されている記録内容（コンテンツ）を表示する指示を入力する機能、次ページ又は前ページへのページ切換え指示を入力する機能、当該記録媒体８の次回のコンテンツ表示に際し、所望のページで表示を開始させる指示（以下、この指示をしおり付け指示という）を入力する機能（書物に挟んで使用されるしおりと略同様の機能）を有する。また、４方向キー１０及び中央ボタン１１に代えて、ジョグダイヤルと押しボタンの組合せを用いても良い。また、ジョグダイヤル自体を押し込むことで押しボタンの機能を持たせることもできる。
【００３５】
振動検出センサ部５は、当該電子ブック１に発生した振動を検出するものであり、図１に示すように、画像表示部７の表示面に対して左右方向をＸ軸、上下方向をＹ軸とする２次元座標系を設定した場合に、Ｘ軸方向の振動を検出するＸセンサ１２と、Ｙ軸方向の振動を検出するＹセンサ１３とを有してなる。Ｘセンサ１２及びＹセンサ１３は、各方向の振動の加速度を検出する加速度センサからなる。
【００３６】
音出力部６は、例えば電源スイッチ３や操作キー４等の操作があった場合の操作音等の音を出力するものである。また、本実施形態では、画像表示部７に表示されるテキストを音声として出力する機能を有しており、音出力部６は、この音声を出力する。
【００３７】
画像表示部７は、記録媒体８に記憶されたコンテンツを表示するものであり、例えばＬＣＤ（Liquid Crystal Display）である。なお、画像表示部７は、ＬＣＤに限られず、有機ＥＬやプラズマ表示装置であってもよい。
【００３８】
本実施形態の電子ブック１においては、画像表示部７は、以下に説明する駆動機構１４により、前記Ｘ軸方向及びＹ軸方向に駆動されるようになっている。
【００３９】
図２は、駆動機構１４の構成を概略的に示した斜視図である。なお、この図におけるＸ軸、Ｙ軸は、図１に示すＸ軸、Ｙ軸に相当するものであり、また、矢印Ａに示す方向が図１の正面の方向に相当する。
【００４０】
図２に示すように、駆動機構１４は、電子ブック１に振動が生じた場合に、画像表示部７をその振動に応じて適宜移動（揺動）させることで、電子ブック１の利用者の視線（目線）に対する表示画像のぶれを低減するためのものである。
【００４１】
駆動機構１４は、ＬＣＤモジュール１５と、前記ＬＣＤモジュール１５を保持するスライダ１６と、Ｘ軸アクチュエータ１７と、Ｙ軸アクチュエータ１８とを備えて構成されている。
【００４２】
ＬＣＤモジュール１５は、液晶パネル、バックライト及び駆動回路等を備えて構成されてなるものである。ＬＣＤモジュール１５の左右方向における一端辺部（ここでは左辺部）には、Ｙ軸アクチュエータ１８が設けられており、ＬＣＤモジュール１５は、当該Ｙ軸アクチュエータ１８を介し、スライダ１６に対してＹ軸方向（図２の矢印Ｃで示す方向）にスライド可能に取り付けられている。
【００４３】
スライダ１６は、その略中央部に開口部２３を有する略平板状の枠体である。スライダ１６のＹ軸アクチュエータ１８に対向する位置には、上記スライド移動を可能とするべく、Ｙ軸アクチュエータ１８（後述の軸部２２）に対して摺動自在に嵌合されるＶ溝が形成された軸受け部１９が固設されている。スライダ１６は、特許請求の範囲の第２基体の一例である。
【００４４】
また、スライダ１６の下部には、Ｘ軸アクチュエータ１７に対応する上記軸受け部１９と同様に構成された軸受け部２０が固設されている。なお、軸受け部１９，２０に対する軸部２２，２１の嵌合（摩擦結合）は、図略のばね体等の付勢部材による付勢力により、図略の押さえ板（Ｘ軸用押さえ板、Ｙ軸用押さえ板）と軸受け部１９，２０との間に軸部２２，２１を挟持する形態で行われる。
【００４５】
本体フレーム２ａは、スライダ１６を保持するための所謂基台をなすものであり、その略中央部に、ＬＣＤモジュール１５よりも大きな長方形状の開口部２４が形成された枠体である。この本体フレーム２ａの上下方向の一端辺部（ここでは下辺部）には、Ｘ軸アクチュエータ１７が固設されており、スライダ１６の軸受け部２０が当該Ｘ軸アクチュエータ１７（軸部２１）に対して摺動自在に嵌合された状態でＸ軸方向（図１の矢印Ｄで示す方向）にスライド可能となるよう、本体フレーム２ａに対してスライダ１６が取り付けられている。本体フレーム２ａは、特許請求の範囲の第１基体の一例である。
【００４６】
開口部２４は、ＬＣＤモジュール１５をＸ軸方向及びＹ軸方向に駆動したときに、該開口部２４を構成する縁部によってＬＣＤモジュール１５の表示面を遮らない程度の大きさに形成されている。
【００４７】
Ｘ軸アクチュエータ１７及びＹ軸アクチュエータ１８は、所謂超音波駆動が行われるインパクト形のリニアアクチュエータ（圧電アクチュエータ）である。これらのアクチュエータは、それぞれ軸部２１，２２、圧電素子２５，２６及び錘部２７，２８等を備えて構成されている。軸部２１，２２は、それぞれ圧電素子２５，２６によって駆動される所定の断面形状（例えば円形）を有した棒状の駆動軸であり、上記軸受け部２０，１９に対して摩擦結合されるものである。
【００４８】
圧電素子２５，２６は、セラミックなどから構成され、印加される電圧に応じて伸縮され、この伸縮に応じて軸部２１，２２を振動させるものである。圧電素子２５，２６による当該伸縮においては、高速伸長と低速縮小とが、若しくは低速伸長と高速縮小とが、又は伸長速度及び縮小速度が同じである等速伸長と等速縮小とが交互に繰り返される。この圧電素子２５，２６は、例えば積層型圧電素子からなり、軸部２１，２２の一端において、分極方向が当該軸部２１，２２の軸方向と一致した状態で固着されている。
【００４９】
圧電素子２５，２６の電極部には、後述の全体制御部３３（図４参照）からの信号線が接続されており、該全体制御部３３からの駆動信号に応じて圧電素子２５，２６が充電又は放電（逆方向充電）されることで、上記伸縮が行われる。圧電素子２５，２６がこのように伸縮を繰り返すことにより、軸受け部２０即ちスライダ１６が軸部２１に対して、また、軸部２２が軸受け部１９即ちスライダ１６に対してそれぞれ相対的に正方向又は逆方向に移動したり、或いはその場に停止したりする状態となる。
【００５０】
なお、軸部２１，２２における圧電素子２５，２６と反対側の端部には、圧電素子２５，２６によって発生した振動が軸部２１，２２に効率よく伝達されるようにするための錘部２７，２８即ちウェイトが固設されている。
【００５１】
このような構成において、本実施形態では、振動検出センサ部５のＸセンサ１２により検出されるＸ軸方向の振動を打ち消す（相殺する）ように、Ｘ軸アクチュエータ１７の駆動が行われるとともに、Ｙセンサ１２により検出されるＹ軸方向の振動を打ち消す（相殺する）ように、Ｙ軸アクチュエータ１８の駆動が行われる。
【００５２】
すなわち、図１において、例えば、電子ブック１が前記振動によりＸ軸方向右側にΔｘだけ移動したときには、後述する駆動制御部４０（図４参照）は、その移動量ΔｘだけＬＣＤモジュール１５をＸ軸方向左側に移動させ、電子ブック１が前記振動によりＹ軸方向上側にΔｙだけ移動したときには、その移動量ΔｙだけＬＣＤモジュール１５をＹ軸方向下側に移動させる。
【００５３】
例えば、電子ブック１に振動がほとんど無い状態のときに、図３（ａ）に示すように、「ＡＢＣ」の文字が画像表示部７のＹ軸方向における「Ｐ」で示す位置に表示されていたものとし、図３（ｂ）に示すように、前記振動により電子ブック１が瞬間的に矢印Ａの方向にΔｙだけ移動したものとする。なお、図３（ｂ）の１点鎖線は、図３（ａ）に示す電子ブック１の位置を示すものであり、２点鎖線は、画像表示部７（ＬＣＤモジュール１５）を駆動しない場合に、電子ブック１が瞬間的に矢印Ａの方向にΔｙだけ移動したときの画像表示部７の位置を示す。また、図面の視認性のため、図３（ｂ）においては、電源スイッチ３等は図示していない。
【００５４】
本実施形態のように電子ブック１に生じた振動に応じて画像表示部７（ＬＣＤモジュール１５）を駆動しない場合には、「ＡＢＣ」の文字は、図３（ｂ）に示す「Ｐ」に示す位置から「Ｐ’」に示す位置に移動する。この場合、使用者は、この移動に応じて視線を移動しようとするが、視認対象画像の移動量（振動の振幅に相当）が比較的大きい場合には、視線を大きく移動させる必要があり、眼の疲労感を感じる原因となる。また、視認対象画像の移動量（振幅）が比較的小さい場合であっても、その周波数が比較的大きいときには、視線の移動が表示画像の移動（揺れ）に追いつかず、画像表示部７に表示される画像がぶれて見える。いずれにしても、電子ブック１の良好な視認性を確保することができない。
【００５５】
これに対し、本実施形態では、図３（ｂ）の実線で示すように、振動により電子ブック１が瞬間的に矢印Ａの方向にΔｙだけ移動すると、画像表示部７（ＬＣＤモジュール１５）をその移動量Δｙだけ下方に移動させる。これにより、使用者の視線が図３（ａ）の場合と略一定（「Ｐ」で示す位置）となる。
【００５６】
このような動作をＸ軸方向及びＹ軸方向でそれぞれ行うことにより、画像表示部７（ＬＣＤモジュール１５）のＸ軸方向（矢印Ｄ方向）の振動による前記利用者の視線に対するＸ軸方向の表示画像の相対位置が一定となるとともに、画像表示部７（ＬＣＤモジュール１５）のＹ軸方向（矢印Ｃ方向）の振動による前記利用者の視線に対するＹ軸方向の表示画像の相対位置が一定となる。その結果、電子ブック１に振動が生じても、電子ブック１の良好な視認性を確保することができる。
【００５７】
図４は、電子ブック１の電気的な構成を示すブロック図である。
【００５８】
図４に示すように、電子ブック１は、振動検出センサ部５と、画像表示部７と、入力操作部２９と、画像記憶部３０と、振動検出処理部３１と、ＶＲＡＭ３２と、音出力部６と、全体制御部３３とを有する。
【００５９】
振動検出センサ部５は、図１に示す振動検出センサ部５に相当するものであり、Ｘセンサ１２及びＹセンサ１３を備えてなる。画像表示部７は、図１に示す画像表示部７に相当するものである。入力操作部２９は、前述の電源スイッチ３や操作キー４を含むものであり、電子ブック１に対して所定の指示を入力するためのものである。画像記憶部３０は、本実施形態では、ＭＤで構成された前述の記録媒体８である。なお、画像記憶部３０は、ＭＤに限らず、ＤＶＤ、ＣＤ−ＲＯＭやＭＯ等の記録媒体や、ＣＦカード、ＳＤメモリカード等のフラッシュメモリカード媒体であってもよく、また、これらのうち複数有して構成されるものであってもよい。
【００６０】
振動検出処理部３１は、Ｘセンサ１２及びＹセンサ１３から出力された加速度信号からノイズ及びドリフトを低減するためのフィルタ回路（ローパスフィルター及びハイパスフィルタ）及び各加速度信号を増幅するための増幅回路などを備えて構成されている。
【００６１】
ＶＲＡＭ３２は、画像表示部７の画素数に対応した画像信号の記録容量を有し、画像表示部７に表示される画像の画素信号のバッファメモリである。
【００６２】
全体制御部３３は、マイクロコンピュータからなり、上述した装置本体２内の各部材の駆動を関連付けて制御して電子ブック１の動作を統括制御するものである。全体制御部３３は、ＣＰＵ３４と、該ＣＰＵ３４のワーク用としてのＲＡＭ３５と、電子ブック１に備えられる各種機能のプログラム等を記憶するＲＯＭ３６とを有する。
【００６３】
また、全体制御部３３は、入出力制御部３７と、音合成部３８と、表示制御部３９と、駆動制御部４０とを有する。ＣＰＵ３４、ＲＡＭ３５、ＲＯＭ３６、入出力制御部３７、音合成部３８、表示制御部３９は、互いにバス４１を介してデータの授受を行う。
【００６４】
入出力制御部３７は、画像記憶部３０から出力されたデータや入力操作部２９により入力された操作信号を、ＣＰＵ３４等で処理可能なデータ形式に変換するものである。
【００６５】
音合成部３８は、画像記憶部３０に記録されたデータのうち、音に係るデータをバス４１を介して読出し、該データを音としてスピーカ６に出力させるものである。
【００６６】
表示制御部３９は、画像記憶部３０に記憶された画像に係るデータを、画像表示部７の画素数に応じた画像データに変換し、該画像データの表示を画像表示部７に表示させるものである。
【００６７】
駆動制御部４０は、振動検出処理部３１からの検出信号を所定の時間間隔で取り込み、電子ブック１のＸ方向のぶれ量及びＹ方向の振動の振幅を算出し、その振幅を画像表示部７の移動量に変換し、その移動量に基づいてＸ軸アクチュエータ１７及びＹ軸アクチュエータ１８を駆動制御するものである。
【００６８】
すなわち、図１において、例えば、電子ブック１がＸ軸方向右側にΔｘだけ移動したときには、駆動制御部４０は、その移動量（振幅）Δｘだけ画像表示部７をＸ軸方向左側に移動させ、電子ブック１がＹ軸方向上側にΔｙだけ移動したときには、その移動量（振幅）Δｙだけ画像表示部７をＹ軸方向下側に移動させる。
【００６９】
本実施形態の電子ブック１による一連の表示処理を、図５に示すフローチャートを参照して説明する。なお、電子ブック１は、すでに電源スイッチ３がオンされているものとする。
【００７０】
図５に示すように、全体制御部３３は、スロット９に記録媒体８が装填されると（ステップ♯１でＹＥＳ）、振動検出センサ部５（Ｘセンサ１２及びＹセンサ１３）、Ｘ軸アクチュエータ１７、Ｙ軸アクチュエータ１８及び振動検出処理部３１への電力供給を開始してこれらを起動させ（ステップ♯２）、画像表示部７を該画像表示部７の移動可能範囲における中央位置に位置させる（ステップ♯３）。
【００７１】
次に、全体制御部３３は、電源スイッチ３により主電源がオフされたか否かを判断し（ステップ♯４）、主電源がオフされていない場合には（ステップ♯４でＮＯ）、電子ブック１に発生している振動の振幅（Ｘ１，Ｙ１）を検知し（ステップ♯５）、この検知した振幅（Ｘ１，Ｙ１）を打ち消すための画像表示部７の駆動量（−Ｘ１，−Ｙ１）を算出する（ステップ♯６）。
【００７２】
そして、全体制御部３３は、この算出した画像表示部７の駆動量（−Ｘ１，−Ｙ１）で画像表示部７を駆動すると、図２に示す本体フレーム２ａの開口２４のＸ軸方向における端部に当接するか否かを判断し、（ステップ♯７）、当接すると判断すると（ステップ♯７でＹＥＳ）、前記算出したＸ軸方向の駆動量−Ｘ１を、前記端部に当接する直前の位置に画像表示部７を位置させるための駆動量−Ｘ１’に修正し（ステップ♯８）、当接しないと判断すると（ステップ♯７でＮＯ）、ステップ♯９に進む。
【００７３】
また、全体制御部３３は、ステップ♯７又は♯８の処理後、図２に示す本体フレーム２ａの開口２４のＹ軸方向における端部に当接するか否かを判断し、（ステップ♯９）、当接すると判断すると（ステップ♯９でＹＥＳ）、前記算出したＹ軸方向の駆動量−Ｙ１を、前記端部に当接する直前の位置に画像表示部７を位置させるための駆動量−Ｙ１’に修正する（ステップ♯１０）。
【００７４】
そして、全体制御部３３は、ステップ♯６で算出した駆動量又はステップ♯８又は♯１０で修正した修正駆動量に基づき、Ｘ軸アクチュエータ１７及びＹ軸アクチュエータ１８に画像表示部７の駆動を行わせる（ステップ♯１１）。
【００７５】
一方、ステップ♯４において、主電源がオフされた場合には（ステップ♯４でＹＥＳ）、画像表示部７を該画像表示部７の移動可能範囲における中央位置に位置させた後（ステップ♯１２）、振動検出センサ部５、Ｘ軸アクチュエータ１７、Ｙ軸アクチュエータ１８及び振動検出処理部３１への電力供給を停止する（ステップ♯１３）。
【００７６】
以上のように、電子ブック１に発生した振動を構成する該電子ブック１の動き（移動）の方向と反対方向に該振動の振幅と略同一の移動量だけ画像表示部７を移動させるようにしたので、電子ブック１の使用者が或る画像を見ている場合において、その使用者の視線に対する該画像の表示位置を略一定に保つことができ、電子ブック１に振動が発生しても良好な視認性を確保することができる。
【００７７】
前記実施形態に加えて、あるいは前記実施形態に代えて次の形態［１］〜［７］に説明する変形形態も採用可能である。
【００７８】
［１］前記実施形態では、電子ブック１に発生した振動に対し画像表示部７を駆動することで該画像表示部７の視認性を向上するようにしたが、これに限られず、画像表示部７は固定した構造とし、画像表示部７に表示する画像の表示位置を前記振動に応じて移動するようにしてもよい。
【００７９】
図６は、本実施形態における電子ブック１の電気的な構成を示すブロック図である。
【００８０】
図６に示すように、本実施形態における電子ブック１は、前記第１の実施形態の電子ブック１と比較して、画像表示部７は固定した構造であることにより駆動機構１４や駆動制御部４０を備えていない点を除いて略同じであるが、表示制御部３９は、次のように動作する点で前記第１の実施形態の電子ブック１と異なる。なお、図６において、図４に示す各部材等と略同一のものについては同一の番号を付している。
【００８１】
表示制御部３９は、画像記憶部３０に記憶された表示画像に係るデータを、画像表示部７の画素数に応じた画像データに変換し、該画像データを画像表示部７に表示させる機能に加えて、振動検出処理部３１からの検出信号を所定の時間間隔で取り込み、電子ブック１のＸ軸方向及びＹ軸方向の振動の振幅を算出し、その振幅を画像の表示位置の移動量に変換し、その移動量に基づいて前記画像表示部７に表示する画像の表示位置を変更するものである。
【００８２】
例えば、電子ブック１に振動がほとんど無い状態のときに、図７（ａ）に示すように、「ＡＢＣ」の文字が画像表示部７における「Ｐ」で示す位置に表示されていたものとし、図７（ｂ）に示すように、前記振動により電子ブック１が瞬間的に矢印Ａの方向にΔｙだけ移動したものとする。
【００８３】
電子ブック１に生じた振動に応じて画像の表示位置を変更しない場合には、図７（ｂ）に示す「Ｐ」の位置に「ＡＢＣ」の文字が表示されることとなり、前述と同様の理由から、電子ブック１の良好な視認性を確保することができない。
【００８４】
これに対し、本実施形態では、図７（ｂ）に示すように、振動により電子ブック１が瞬間的に矢印Ａの方向にΔｙだけ移動すると、「ＡＢＣ」の文字の表示位置をその移動量Δｙだけ下方に変更する。これにより、使用者の視線が図７（ａ）の場合と略同一となり、電子ブック１に振動が生じても、電子ブック１の良好な視認性を確保することができる。
【００８５】
本実施形態の電子ブック１による一連の表示処理を、図８に示すフローチャートを参照して説明する。なお、電子ブック１は、すでに電源スイッチ３がオンされているものとする。
【００８６】
図８に示すように、全体制御部３３は、スロット９に記録媒体８が装填されると（ステップ♯２１でＹＥＳ）、該記録媒体８からテキストデータや画像データを読み込み（ステップ♯２２）、該データを画像表示部７に表示させる（ステップ♯２３）。しおり付けの指示が行われている場合には、このしおり付けの対象となっているページを表示する。
【００８７】
次に、全体制御部３３は、電源スイッチ３により主電源がオフされたか否かを判断し（ステップ♯２４）、主電源がオフされた場合には（ステップ♯２４でＹＥＳ）、画像表示部７での画像の表示を消去する（ステップ♯２５）。一方、主電源がオフされていない場合には（ステップ♯２４でＮＯ）、全体制御部３３は、操作キー４によりページの切換え指示が行われたか否かを判断する（ステップ♯２６）。
【００８８】
ページの切換え指示が行われた場合には（ステップ♯２６でＹＥＳ）、全体制御部３３は、前ページへの切換え指示であるか次ページへのページ切換え指示であるかの判断を行った後（ステップ♯２７）、ステップ♯２２に戻って、表示すべきページのデータを記録媒体８から読み出して画像表示部７に表示させる（ステップ♯２２，♯２３）。
【００８９】
また、全体制御部３３は、操作キー４によりしおり付け指示が行われたか否かを判断し（ステップ♯２８）、しおり付け指示が行われた場合には（ステップ♯２８でＹＥＳ）、現在スロット９に装着されている記録媒体８の次回のコンテンツ表示に際し、現在表示中のページで表示を開始させる旨のデータを記録媒体８に記録し（ステップ♯２９）、しおりを模した画像を画像表示部７に表示されている画像に重ねて表示させた後（ステップ♯３０）、ステップ♯２４の処理に戻る。
【００９０】
一方、ページの切換え指示が行われていない場合には（ステップ♯２８でＮＯ）、電子ブック１に発生している振動の振幅（Ｘ１，Ｙ１）を検知し（ステップ♯３１）、この検知した振幅（Ｘ１，Ｙ１）を打ち消すように、画像を（−Ｘ１，−Ｙ１）だけ移動させる（ステップ♯３２）。すなわち、画像表示部７に表示中の画像を、振動による電子ブック１の移動方向と反対方向に、且つその移動量と略同一量だけ移動する。全体制御部３３は、ステップ♯２２〜♯３１の処理を電源スイッチ３により主電源がオフされるまで繰り返し行う。
【００９１】
このように、電子ブック１に発生した振動の方向と反対方向に該振動の振幅と略同一の移動量だけ画像表示部７に表示する画像の表示位置を移動させるようにしたので、第１の実施形態と同様、電子ブック１の使用者が或る画像を見ている場合において、該使用者の視線に対する画像の表示位置を略一定に保つことができ、前記第１の実施形態と同様、電子ブック１に振動が発生しても良好な視認性を確保することができる。
【００９２】
［２］電子ブック１に振動が発生する場合には、該電子ブック１を保持する使用者自身にも振動が生じている場合が多いため、前記第１の実施形態や前記変形形態［１］のように、電子ブック１に発生した振動の振幅と略同一量だけ画像表示部７や画像の表示位置を移動させるようにすると、画像の視認性の点で違和感を与える可能性がある。この場合には、電子ブック１の振動に対する画像表示部７や画像の表示位置は、前記振動の振幅より若干小さい移動量で移動させるのが好ましいと考えられる。また、電子ブック１に発生する振動と使用者の振動とがずれている場合も考えられる。
【００９３】
そこで、例えば、身体の一部位（特に頭部）の揺れ（振動、動き）を検出し、この検出結果も考慮して画像表示部７や画像の表示位置を移動させるようにすると、さらに画像表示部７の視認性を向上することができる。
【００９４】
なお、画像表示部を搭載する装置本体とは別に、身体の一部位（特に頭部）に装着する付属装置（イヤホン等）が付属している場合には、その付属装置に振動検出センサ部５を搭載するようにすると、振動検出センサ部５を前記付属装置に内蔵するだけで済み、身体の一部位（特に頭部）の揺れ（振動、動き）を検出するための付属装置を新たに構成する必要がなくなるから、コストアップを抑制することができる。
【００９５】
［３］本件技術の対象は、前記電子ブック１に限られるものではなく、それ以外の電子機器、例えば、被写体の映像を光学的に取り込んだ後、その映像を半導体素子を使って電気信号に変換し、デジタルデータとして記憶媒体に記憶するデジタルスチルカメラ、ゲーム機、携帯情報端末（ＰＤＡ：Personal Digital Assistant）、携帯電話機、モバイルコンピュータ等の携帯通信機器、あるいは車載用のテレビやナビゲーションの画像表示部にも適用することができる。要は、画像表示部を備え、振動が与えられやすい状況下でよく使用される装置全般に適用可能である。
【００９６】
［４］変形形態［３］において述べた適用対象のうち、例えばデジタルスチルカメラにおいては、カメラぶれに起因して発生する撮像画像のぶれを補正するためにぶれ検出センサを備えている場合がある。この場合には、このぶれ検出センサを、前記第１の実施形態や前記変形形態［１］等における振動の検出に兼用するようにすると、振動検出センサ部５をそのぶれ検出センサと別個に設ける場合に比して、装置の大型化やコストアップを抑制することができる。
【００９７】
［５］画像表示部７に表示する画像は、単に文字を羅列したものに限らず、例えば或るページを開いた書籍の形を模した絵や、画像表示部７における表示領域の一部分に挿絵を挿入するなどして、その表示画像に飾り付けを行うようにしてもよい。また、平仮名やアルファベット、あるいは特殊文字等の各文字の画像データを、そのフォントごとに記憶するようにしてもよい。それらのデータは、記録媒体８等の画像記憶部に予め記録しておくようにしてもよい。
【００９８】
また、前記第１の実施形態では、画像表示部７に表示する画像等のデータは、画像記憶部３０から得るようにしたが、これに限られず、例えば比較的大きな記憶容量の記憶部を電子ブック１に内蔵するとともに、該電子ブック１を例えばパーソナルコンピュータと通信可能に構成し、該パーソナルコンピュータから提供されたデータをその記憶部に記憶して、使用者からの指示があった場合に、その記憶内容を前記記憶部から読み出して画像表示部７に表示するようにしてもよい。
【００９９】
［６］前記第１の実施形態及び変形形態［１］においては、電源スイッチ３により主電源がオンされると、常時、電子ブック１等の動きを検知し、この検知した電子ブック１の動きに応じて画像表示部７の駆動や画像の表示位置の変更処理を行うようにしたが、これに限らず、この動作を実行する実行モードと、該動作を実行しない非実行モードとを備えると共に、これらのモードを切り替えるボタン等の操作部を備え、該操作部により動作モードが選択された場合に、画像表示部７の駆動等を行うように構成してもよい。
【０１００】
［７］前記変形形態［１］のように画像の表示位置を変更する場合においては、次のような状況が発生し得る。すなわち、例えば画像表示部７に小説等のテキストデータを表示する場合において、電子ブック１の振動に応じて画像の表示位置を移動させるようにすると、電子ブック１の振動の振幅が比較的大きいときには画像の表示位置の移動量が大きくなり、該画像の移動先が画像表示部７の表示領域を超える（はみ出す）場合がある。
【０１０１】
このような場合には、画像（例えば小説の内容）の一部が途切れてでも該画像の表示位置を移動させるようにしてもよいし、あるいは、画像が途切れない範囲で該画像の表示位置を移動させるようにしてもよい。さらには、これらの画像の表示位置の移動方式をそれぞれモードとして設定し、所定の操作部（ボタンやスイッチ等）により、これらのモードを択一的に選択できるようにしてもよい。
【図面の簡単な説明】
【０１０２】
【図１】電子ブックの外観構成を示す図である。
【図２】駆動機構の構成を概略的に示した斜視図である。
【図３】画像表示部の駆動を説明するための図である。
【図４】電子ブックの電気的な構成を示すブロック図である。
【図５】第１の実施形態の電子ブックによる一連の駆動処理を示すフローチャートである。
【図６】変形形態［１］における電子ブックの電気的な構成を示すブロック図である。
【図７】画像の表示位置の移動を説明するための図である。
【図８】図６に示す電子ブックによる一連の表示処理を示すフローチャートである。
【符号の説明】
【０１０３】
５    振動検出センサ部
７    画像表示部
８    記録媒体
１０    ４方向キー
１１    中央ボタン
１７    Ｘ軸アクチュエータ
１８    Ｙ軸アクチュエータ
３３    全体制御部
３９    表示制御部
４０    駆動制御部
【図１】
2006145616.tif 000003
【図２】
2006145616.tif 000004
【図３】
2006145616.tif 000005
【図４】
2006145616.tif 000006
【図５】
2006145616.tif 000007
【図６】
2006145616.tif 000008
【図７】
2006145616.tif 000009
【図８】
2006145616.tif 000010